(57)【要約】【課題】  魚の鮮度を長期に亘って維持することができる海洋深層イオン水及び海洋深層イオン水氷並びに鮮魚保存方法を提供する。【解決手段】  水深５００ｍ以上の海洋深層水を電気分解して得た海洋深層イオン水及びこの海洋深層イオン水を製氷化した海洋深層イオン水氷の少なくとも何れか一方と共に鮮魚を保存するようにした。【選択図】    なし【特許請求の範囲】
【請求項１】
水深５００ｍ以上の海洋深層水を電気分解して得たものであることを特徴とする海洋深層イオン水。
【請求項２】
請求項１において、海洋深層アルカリ性イオン水であることを特徴とする海洋深層イオン水。
【請求項３】
水深５００ｍ以上の海洋深層水を電気分解して得た海洋深層イオン水を製氷化したものであることを特徴とする海洋深層イオン水氷。
【請求項４】
請求項３において、海洋深層アルカリ性イオン水を製氷化したものであることを特徴とする海洋深層イオン水氷。
【請求項５】
水深５００ｍ以上の海洋深層水を電気分解して得た海洋深層イオン水、及び当該海洋深層イオン水を製氷化して得た海洋深層イオン水氷の少なくとも何れか一方と共に鮮魚を保存することを特徴とする鮮魚保存方法。
【請求項６】
請求項５において、前記海洋深層イオン水として海洋深層アルカリ性イオン水を用いることを特徴とする鮮魚保存方法。
【発明の詳細な説明】
【技術分野】
【０００１】
本発明は、鮮魚の保存に用いられる海洋深層イオン水及び海洋深層イオン水氷並びに鮮魚保存方法に関する。
【背景技術】
【０００２】
最近になって、海洋深層水を利用した商品が数多く提案されており、またメディア等において海洋深層水の話題が取り上げられることが多くなってきた。ここで、海洋深層水は、長期に亘って高い水圧が付与され且つ低温で熟成された水深約２００ｍ以上に存在する海水のことである。このように、海洋深層水は、太陽光が十分に届かない深さに存在しているため、窒素、リン、ケイ素等の無機栄養塩類が植物プランクトンの光合成により消費されずに残っており、人間にとって必要な栄養素を豊富に含んでいる。このため、このような海洋深層水を利用した飲料水（例えば、特許文献１参照）等が提案されている。
【０００３】
なお、近年、海洋深層水を電気分解することにより得られるイオン水を製氷化した電解水氷を鮮度保存用氷として用いるという試みがなされているが（例えば、特許文献２参照）、海洋深層水の利用による十分な効果が得られていないのが現状である。
【０００４】
【特許文献１】特開２０００−３５４８６５号公報
【特許文献２】特開２００２−２７７１１８号公報
【発明の開示】
【発明が解決しようとする課題】
【０００５】
本発明は、このような事情に鑑み、魚の鮮度を長期に亘って維持することができる海洋深層イオン水及び海洋深層イオン水氷並びに鮮魚保存方法を提供することを課題とする。
【課題を解決するための手段】
【０００６】
上記課題を解決する本発明の第１の態様は、水深５００ｍ以上の海洋深層水を電気分解して得たものであることを特徴とする海洋深層イオン水にある。
【０００７】
かかる第１の態様では、海洋深層イオン水と共に鮮魚を保存することで、水深５００ｍ未満の海洋深層水を電気分解した海洋深層イオン水と比較して、鮮度判定指標であるＫ値の上昇が長期に亘って低く抑えられる。すなわち、魚の鮮度が長期に亘って維持される。
【０００８】
本発明の第２の態様は、第１の態様において、海洋深層アルカリ性イオン水であることを特徴とする海洋深層イオン水にある。
【０００９】
かかる第２の態様では、海洋深層アルカリ性イオン水と共に鮮魚を保存することで、海洋深層酸性イオン水や、海洋深層酸性イオン水と海洋深層アルカリ性イオン水との混合したイオン水と比較して、Ｋ値の上昇がさらに長期に亘って低く抑えられる。
【００１０】
本発明の第３の態様は、水深５００ｍ以上の海洋深層水を電気分解して得た海洋深層イオン水を製氷化したものであることを特徴とする海洋深層イオン水氷にある。
【００１１】
かかる第３の態様では、海洋深層イオン水を製氷化することで、一般的な氷や、水深５００ｍ未満の海洋深層水を電気分解して得た海洋深層イオン水を製氷化したイオン水氷と比較して、魚の鮮度が長期に亘って良好に維持される。
【００１２】
本発明の第４の態様は、第３の態様において、海洋深層アルカリ性イオン水を製氷化したものであることを特徴とする海洋深層イオン水氷にある。
【００１３】
かかる第４の態様では、海洋深層アルカリ性イオン水氷と共に鮮魚を保存することで、海洋深層酸性イオン水氷や、海洋深層酸性イオン水と海洋深層アルカリ性イオン水との混合したイオン水を製氷化したイオン水氷と比較して、Ｋ値の上昇がさらに長期に亘って低く抑えられる。
【００１４】
本発明の第５の態様は、水深５００ｍ以上の海洋深層水を電気分解して得た海洋深層イオン水、及び当該海洋深層イオン水を製氷化して得た海洋深層イオン水氷の少なくとも何れか一方と共に鮮魚を保存することを特徴とする鮮魚保存方法にある。
【００１５】
かかる第５の態様では、海洋深層イオン水及び海洋深層イオン水氷の少なくとも何れか一方と共に鮮魚を保存することで、水深５００ｍ未満の海洋深層水を電気分解して得た海洋深層イオン水又はこの海洋深層イオン水を製氷化して得た海洋深層イオン水氷を用いて鮮魚を保存した場合と比較して、Ｋ値の上昇が長期に亘って低く抑えられる。すなわち、魚の鮮度が長期に亘って維持される。
【００１６】
本発明の第６の態様は、第５の態様において、前記海洋深層イオン水として海洋深層アルカリ性イオン水を用いることを特徴とする鮮魚保存方法にある。
【００１７】
かかる第６の態様では、海洋深層アルカリ性イオン水と共に鮮魚を保存することで、海洋深層酸性イオン水や、海洋深層酸性イオン水と海洋深層アルカリ性イオン水との混合したイオン水を用いた場合と比較して、Ｋ値の上昇が長期に亘ってさらに低く抑えられる。
【００１８】
本発明では、水深５００ｍ以上の海洋深層水を電気分解して得た海洋深層イオン水及びこの海洋深層イオン水を製氷化して得た海洋深層水氷の少なくとも何れか一方と共に鮮魚を保存することで、一般的な氷やイオン水氷、さらには一般の海洋深層水、すなわち、水深５００ｍ未満の海洋深層水又はこの海洋深層水のイオン水氷を用いた場合と比較して、Ｋ値の上昇を長期に亘って低く抑えることができる。すなわち、魚の鮮度を長期に亘って維持することができるという効果を奏する。
【００１９】
ここで、「Ｋ値」とは、魚の鮮度判定指数のことである。詳細には、魚肉のアデノシン三リン酸（ＡＴＰ）は、酵素により分解して、アデノシン二リン酸（ＡＤＰ）、アデニル酸（ＡＭＰ）、イノシン酸（ＩＭＰ）、イノシン（ＨＸＲ）、及びヒポキサンチン（ＨＸ）の順に反応が進む。このような魚肉のＡＴＰ分解反応は、死後直ちに開始する。このことから、魚類の生きの良さを示す鮮度については、一般的に、ＡＴＰ分解過程を目安として、下記数１によって求められる「Ｋ値」（鮮度判定指数）で表される。なお、魚類は、イノシン酸が多いほど旨みを増し、イノシンやヒポキサンチンが多くなるにつれて鮮度が低下する。
【００２０】
【数１】
2005342640.tif 000002
【００２１】
本願発明でいう海洋深層イオン水とは、海洋深層アルカリ性イオン水、海洋深層酸性イオン水又はこれらの混合イオン水のことであり、必要に応じて、これら各イオン水に各種ミネラル成分等を適宜加えてもよい。そして、本発明においては、このような海洋深層イオン水の中でも、特に、海洋深層アルカリ性イオン水を用いて鮮魚を保存することで、例えば、海洋深層酸性イオン水よりも魚の鮮度を長期に亘って良好に維持することができる。
【００２２】
ここで、このような海洋深層イオン水の原料となる特定の海洋深層水は、水深５００ｍ以上から取水したものであり、例えば、静岡県の下田沖合で水深５００ｍから取水した海洋深層水、沖縄県の久米島沖合で水深６１２ｍから取水した海洋深層水等が挙げられる。なお、下記表１には、下田沖合取水の水深０ｍ、１００ｍ、２００ｍ、３００ｍ、４００ｍ、５００ｍの各海水に含まれる元素濃度（μｇ／ｍｌ）を示す。
【００２３】
【表１】
2005342640.tif 000003
【００２４】
上記表１に示すように、水深５００ｍの海洋深層水は、例えば、表層水（水深０ｍ）と比べて、カルシウム（Ｃａ）、亜鉛（Ｚｎ）、テルル（Ｔｅ）等の各元素濃度が大きい。このように、本発明において使用する特定の海洋深層水は、カルシウム、亜鉛、テルル等が豊富に含まれている。また、この特定の海洋深層水は、リン脂質やトコフェノール等の抗酸化物質も含んでいる。本発明では、このような特定の海洋深層水を電気分解することで、抗酸化物質等がイオン化され、これらの成分が魚に対して作用することで、上述した下田沖の表層水又は水深１００ｍの海水、あるいは水深５００ｍ未満の海洋深層水を電気分解したものと比べて、Ｋ値の上昇を長期に亘って低く抑えることができる。このように、Ｋ値の上昇が低く抑えられたのは、上述したＡＴＰ分解反応の過程、特に、イノシン酸が分解してイノシンが生成される過程において、海洋深層イオン水に含まれるイオン化した抗酸化物質やカルシウム、亜鉛、テルル等が作用し、イノシン酸の分解反応を遅らせることができたためと考えられる。特に、このような特定の海洋深層水には、一般的な水深５００ｍ未満の海洋深層水や表層水と比べて、カルシウムや亜鉛、テルル等の元素濃度が高い。このため、このような特定の海洋深層水を電気分解した、海洋深層アルカリ性イオン水には、カルシウムや亜鉛、テルル等が豊富に含まれており、魚の鮮度を保持する効果を高めていると考えられる。
【００２５】
なお、海洋深層イオン水の原料となる特定の海洋深層水は、１７Ｏ−ＮＭＲスペクトルにて６５Ｈｚ以上、好ましくは７０Ｈｚ以上、例えば、７８Ｈｚの半値幅を有するピークが検出される深層水であるのがよく、このような条件を満たすものとしては、例えば、沖縄県の沖合等で取水される海洋深層水が挙げられる。なお、沖縄県の沖合約３０ｋｍの水深１４００ｍから取水した海洋深層水の１７Ｏ−ＮＭＲスペクトルの半値幅は約７８Ｈｚ（ｐＨ８．２）であった。
【００２６】
このような１７Ｏ−ＮＭＲスペクトルにて６５Ｈｚ以上の半値幅を有するピークが検出される特定の海洋深層水は、例えば、半値幅が６５Ｈｚより低いものと比べてエネルギーレベルが高く、このような海洋深層水を電気分解して得られる海洋深層イオン水と共に鮮魚を保存することで、Ｋ値の上昇を長期に亘って低く抑えることができる。
【００２７】
ここで、上述した海洋深層イオン水については、空気（例えば、ＣＯ２）に触れると中和反応が生じてｐＨが変化する虞があり、本発明では、海洋深層イオン水を製氷化して海洋深層イオン水氷とするのが好ましい。これにより、ｐＨ安定性を高めることができる。そして、本発明では、このような海洋深層イオン水氷と共に鮮魚を保存することで、海洋深層イオン水と比べて、Ｋ値の上昇を長期に亘ってさらに低く抑えることができる。勿論、海洋深層アルカリ性イオン水を製氷化した海洋深層アルカリ性イオン水氷と共に鮮魚を保存すれば、より効果的である。
【００２８】
なお、鮮魚の保存環境については、例えば、１０℃以下、好ましくは５℃以下の低温とするのが好ましい。また、少なくとも海洋深層イオン水氷を用いて鮮魚を保存する際には、所望のタイミングで海洋深層イオン水氷を補充するのが好ましい。
【発明の効果】
【００２９】
本発明によれば、水深５００ｍ以上の海洋深層水を電気分解して得た海洋深層イオン水及びこの海洋深層イオン水を製氷化して得た海洋深層イオン水氷の少なくとも何れか一方と共に鮮魚を保存することにより、魚の鮮度を長期に亘って維持することができるという効果を奏する。
【発明を実施するための最良の形態】
【００３０】
以下、本発明を実施例に基づいて詳細に説明する。勿論、本発明はこの実施例に限定されるものではない。
【実施例】
【００３１】
（試験例１）
複数匹の鯵を即刹した後、直ぐに、これら鯵の群の一匹についてＫ値を測定した後、下記の実施例１及び２、比較例１〜７の各氷水と共に１４日間保存し、再びＫ値を求めて、それぞれ比較した。
【００３２】
（実施例１及び２）
アルカリイオン整水器（中国電力株式会社製）を用いて、グラスフィルターで濾過した海洋深層水を電気分解して、海洋深層酸性イオン水（ｐＨ５．９６）及び海洋深層アルカリ性イオン水（ｐＨ８．４７）を製造した。次に、製造した海洋深層酸性イオン水及び海洋深層アルカリ性イオン水について脱気処理をした後、直ちに−（マイナス）２０℃で製氷化することで、実施例１の海洋深層酸性イオン水氷、実施例２の海洋深層アルカリ性イオン水氷を作製した。
【００３３】
（比較例１〜３）
グラスフィルターで濾過しただけの海洋深層水（ｐＨ７．５９）、この海洋深層水を脱塩処理した海洋深層飲料水（ｐＨ６．７９）、水道水（ｐＨ７．２５）を実施例１及び２と同様にして製氷化し、比較例１の海洋深層水氷、比較例２の海洋深層飲料水氷、比較例３の水道水氷を作製した。
【００３４】
（比較例４〜７）
アルカリイオン整水器（中国電力株式会社製）を用いて、グラスフィルターで濾過した海洋深層飲料水及び水道水を電気分解して、各海洋深層飲料酸性イオン水（ｐＨ３．１４）、海洋深層飲料アルカリ性イオン水（ｐＨ８．８７）、水道酸性イオン水（ｐＨ３．５３）及び水道アルカリ性イオン水（ｐＨ９．０５）をそれぞれ製造し、実施例１及び２と同様にして製氷化し、比較例４の海洋深層飲料酸性イオン水氷、比較例５の海洋深層飲料アルカリ性イオン水氷、比較例６の水道酸性イオン水氷、比較例７の水道アルカリ性イオン水氷をそれぞれ作製した。
【００３５】
なお、海洋深層水は、沖縄県の久米島沖合２．３ｋｍの水深約６１２ｍより取水した久米島海洋深層水を用いた。一方、海洋深層飲料水は、久米島海洋深層水を脱塩処理した久米島海洋深層水開発株式会社製の硬度１０００の飲料水を用いた。
【００３６】
（鯵の保存条件）
即刹後の鯵を実施例１及び２、比較例１〜７の各水氷と共にそれぞれ袋に詰めて、１４日間４℃の低温室に氷水の状態で保存した。また、比較のため、鯵だけを袋にそのまま入れて、同様の条件下で保存した。なお、各水氷は、粉砕して１日おきに補充した。
【００３７】
（Ｋ値の測定）
Ｋ値の測定には、鮮度測定器ＫＶ−１０１（オリエンタル電気株式会社製）を用いた。詳細には、まず、鯵の背肉約２ｇに１０％トリクロロ酢酸を５ミリリットル加えて攪拌し、濾過した後、得られた濾液にメチルレッドを１〜２滴及び１０ＮのＫＯＨを数滴加えて中和し、これを抽出液（Ｓ１）とした。次に、基礎反応液（０．０５Ｍリン酸緩衝液）と洗浄用水とを１：１の割合で混合し、３７℃で１０分間洗浄を行った。そして、５０マイクロリットルの抽出液（Ｓ１）に酵素試薬（ＡＴＰａｓｅ、ミオキナーゼ、デアミナーゼ、アルカリホスファダーゼを混合したもの）を５０マイクロリットル加えた後、３７℃で１５分間インキュベートして酵素反応させて試料（Ｓ２）とした。その後、反応セルに０．１Ｍリン酸緩衝液を１．２ミリリットル入れ、これに抽出液（Ｓ１）を１０マイクロリットル加え、その後さらに、酵素試薬（ヌクレオチドホスホリラーゼとキサンチンオキシダーゼとを配合したもの）を１０マイクロリットル加え、成分濃度に比例した溶存酸素の減少を高性能ポーラロフラフ式酵素電極で計測して、Ｄ１とした。さらに、これに試料（Ｓ２）を２０マイクロリットル加え、同様に高性能ポーラロフラフ式酵素電極で計測して、Ｄ２とした。なお、Ｄ１は、ＨＸＲ及びＨＸの総量であり、Ｄ２は、ＡＴＰ関連化合物総量（ＡＴＰ＋ＡＤＰ＋ＡＭＰ＋ＩＭＰ＋ＨＸＲ＋ＨＸ）である。Ｋ値は、上記数式１により求めた。その結果を下記表２に示す。
【００３８】
【表２】
2005342640.tif 000004
【００３９】
上記表２に示す結果より、水深６１２ｍの久米島海洋深層水を電気分解して得た久米島海洋深層イオン水からなる実施例１及び２の各水氷で保存した鯵のＫ値は、比較例１〜７の水氷で保存したもの又は比較例８の鯵だけで保存したものよりも低い値であった。特に、実施例２の海洋深層アルカリ性イオン水氷を用いたものは、１４日目でもＫ値が３８．５％と低く、食用に用いることができるものであった。また、保存後の実際の鯵について腐敗状況の外観検査を行ったところ、実施例１及び２の各水氷で保存した鯵は、比較例１〜７の氷水で保存した鯵と比べて、目が黒く、身が引き締まり、表皮の色も殆ど変化していなかった。
【００４０】
また、実施例１及び２の各水氷で保存した鯵のＫ値は、比較例４及び５の水氷よりも低かった。この理由としては、比較例４及び５の各氷水の原料である海洋深層飲料水の製造段階において、海洋深層水の脱塩処理により、その海洋深層水に含まれる抗酸化物質、例えば、リン脂質やトコフェノール等の成分が除去されたためと考えられる。
【００４１】
以上の試験結果から、実施例１及び２のような水深６１２ｍの久米島海洋深層水を電気分解して得た久米島海洋深層イオン水からなる海洋深層イオン水氷と共に鮮魚を保存することで、魚の鮮度を長期に亘って維持できることが分かった。特に、実施例２の海洋深層アルカリ性イオン水氷は、実施例１よりも、Ｋ値が低く抑えられたことから、優れた鮮度保持効果が得られることが分かった。
【００４２】
（試験例２）
即刹後の鯵についてＫ値を測定した後、上述した試験例１と同様の条件下で、下記の実施例３及び４、比較例９の各氷水と共に１４日間保存し、３日目、７日目、１４日目のＫ値を求めて、それぞれ比較した。その結果を下記表３に示す。
【００４３】
（実施例３及び４）
上述した実施例１及び２と同様に海洋深層水を電気分解して海洋深層酸性イオン水（ｐＨ５．７９）及び海洋深層アルカリ性イオン水（ｐＨ８．１５）を製造すると共に各イオン水を製氷化することで、実施例３の海洋深層酸性イオン水氷、実施例４の海洋深層アルカリ性イオン水氷を作製した。
【００４４】
（比較例９）
蒸留水１リットルに３５ｇの食塩を溶解して３．５％食塩水を調製し、この食塩水を製氷化することで、比較例９の食塩水氷を作製した。
【００４５】
【表３】
2005342640.tif 000005
【００４６】
上記表３に示す結果より、塩化ナトリウム以外のミネラル成分や抗酸化物質を含む実施例３及び４の各水氷で保存した鯵のＫ値は、３日目、７日目、１４日目のそれぞれにおいて、比較例９の食塩水氷で保存したものよりも低い値であった。なお、実施例４の海洋深層アルカリ性イオン水氷により保存した鯵のＫ値は、実施例３の海洋深層酸性イオン水氷で保存した鯵のＫ値よりも低い値であった。
【００４７】
以上の試験結果からも、実施例３及び４のような水深６１２ｍの久米島海洋深層水を電気分解して得た久米島海洋深層イオン水からなる海洋深層イオン水氷と共に鮮魚を保存することで、魚の鮮度を長期に亘って維持できることが分かった。
【産業上の利用可能性】
【００４８】
上述した実施例では、鯵の保存方法を例示して説明したが、勿論これに限定されず、本発明は、鯵以外の様々な魚類を保存する際に適用することができ、特に、高価な魚の保存に適用すれば、質の高い新鮮な魚を比較的容易に提供することができる。